(57)【要約】【課題】撮像画像に施される画像処理の内容を分かりやすくすること。【解決手段】撮像装置は、表示手段の表示画面内において、第１の位置が選択されている場合には、撮像画像に対して第１の画像処理を行い、第１の画像処理が行われた撮像画像を表示手段に表示し、第１の音または振動を発生手段から発生させ、第２の位置が選択されている場合には、撮像画像に対して第２の画像処理を行い、第２の画像処理が行われた撮像画像を表示手段に表示し、第２の音または振動を発生手段から発生させ、中間位置が選択されている場合には、撮像画像に対して第１の画像処理と第２の画像処理の両方を行い、第１の画像処理と第２の画像処理の両方が行われた撮像画像を表示手段に表示し、第１の音または振動と第２の音または振動の両方を発生手段から発生させる。【選択図】図１
2018085723.tif 000002
【特許請求の範囲】
【請求項１】
表示部の表示画面内において、第１の位置と、前記第１の位置から離れた位置にある第
２の位置と、前記第１の位置および前記第２の位置の間の中間位置とのいずれかの位置を
選択する位置選択部と、
画像に対して、第１の画像処理と、前記第１の画像処理とは異なる第２の画像処理とを
行う画像処理部と、
前記画像を表示部に表示する表示制御部と、
第１の音または振動と、前記第１の音または振動とは異なる第２の音または振動とを発
生する発生部と、
前記発生部を制御する発生制御部と、を備え、
前記位置選択部により前記第１の位置が選択されると、前記画像処理部は前記画像に対
して前記第１の画像処理を行い、前記表示制御部は前記第１の画像処理が行われた前記画
像を表示部に表示し、前記発生制御部は前記第１の音または振動を前記発生部から発生さ
せ、
前記位置選択部により前記第２の位置が選択されると、前記画像処理部は前記画像に対
して前記第２の画像処理を行い、前記表示制御部は前記第２の画像処理が行われた前記画
像を表示部に表示し、前記発生制御部は前記第２の音または振動を前記発生部から発生さ
せ、
前記位置選択部により前記中間位置が選択されると、前記画像処理部は前記画像に対し
て前記第１の画像処理と前記第２の画像処理の両方を行い、前記表示制御部は前記第１の
画像処理と前記第２の画像処理の両方が行われた前記画像を表示部に表示し、前記発生制
御部は前記第１の音または振動と前記第２の音または振動の両方を前記発生部から発生さ
せる電子機器。
【発明の詳細な説明】
【技術分野】
【０００１】
本発明は、電子機器、音または振動の発生方法およびプログラムに関する。
【背景技術】
【０００２】
使用する画像効果を選択するためのメニューと、選択した画像効果の効果レベルを調整
するためのメニューとを表示部に表示するデジタルカメラが知られている（特許文献１参
照）。
【先行技術文献】
【特許文献】
【０００３】
【特許文献１】特開２０１２−１２４６０８号公報
【発明の概要】
【発明が解決しようとする課題】
【０００４】
上述したデジタルカメラを屋外で使用する場合、デジタルカメラの表示部（液晶モニタ
）が屋外光によって見えにくくなるため、どの画像効果が選択されて効果レベルがどれく
らいかなど、画像効果の内容が分かりにくかった。
【課題を解決するための手段】
【０００５】
本発明の第１の態様によると、電子機器は、表示部の表示画面内において、第１の位置
と、前記第１の位置から離れた位置にある第２の位置と、前記第１の位置および前記第２
の位置の間の中間位置とのいずれかの位置を選択する位置選択部と、画像に対して、第１
の画像処理と、前記第１の画像処理とは異なる第２の画像処理とを行う画像処理部と、前
記画像を表示部に表示する表示制御部と、第１の音または振動と、前記第１の音または振
動とは異なる第２の音または振動とを発生する発生部と、前記発生部を制御する発生制御
部と、を備え、前記位置選択部により前記第１の位置が選択されると、前記画像処理部は
前記画像に対して前記第１の画像処理を行い、前記表示制御部は前記第１の画像処理が行
われた前記画像を表示部に表示し、前記発生制御部は前記第１の音または振動を前記発生
部から発生させ、前記位置選択部により前記第２の位置が選択されると、前記画像処理部
は前記画像に対して前記第２の画像処理を行い、前記表示制御部は前記第２の画像処理が
行われた前記画像を表示部に表示し、前記発生制御部は前記第２の音または振動を前記発
生部から発生させ、前記位置選択部により前記中間位置が選択されると、前記画像処理部
は前記画像に対して前記第１の画像処理と前記第２の画像処理の両方を行い、前記表示制
御部は前記第１の画像処理と前記第２の画像処理の両方が行われた前記画像を表示部に表
示し、前記発生制御部は前記第１の音または振動と前記第２の音または振動の両方を前記
発生部から発生させる。
本発明の第２の態様によると、音または振動の発生方法は、表示部の表示画面内におい
て、第１の位置と、前記第１の位置から離れた位置にある第２の位置と、前記第１の位置
および前記第２の位置の間の中間位置とのいずれかの位置を選択する位置選択工程と、前
記位置選択工程により前記第１の位置が選択されると、画像に対して第１の画像処理を行
って表示部に表示するとともに第１の音または振動を発生部から発生させ、前記位置選択
工程により前記第２の位置が選択されると、画像に対して前記第１の画像処理とは異なる
第２の画像処理を行って表示部に表示するとともに前記第１の音または振動とは異なる第
２の音または振動を発生部から発生させ、前記位置選択工程により前記中間位置が選択さ
れると、画像に対して前記第１の画像処理と前記第２の画像処理の両方を行って表示部に
表示するとともに前記第１の音または振動と前記第２の音または振動の両方を発生させる
発生工程と、を有する。
本発明の第３の態様によると、プログラムは、第２の態様による音または振動の発生方
法をコンピュータに実行させる。
【発明の効果】
【０００６】
本発明によれば、撮像画像に施される画像処理の内容を分かりやすくすることができる
。
【図面の簡単な説明】
【０００７】
【図１】デジタルカメラの構成例を説明するブロック図である。
【図２】リング画像を説明する図である。
【図３】第１の実施形態におけるカーソルの位置に応じた画像処理と操作音を説明する図である。
【図４】撮影シーンに応じた画像処理の組合せを説明する図である。
【図５】クリエイティブモードにおける処理の流れを説明するフローチャートである。
【図６】リング画像のカーソルの位置に応じた画像処理の流れを説明するフローチャートである。
【図７】第２の実施形態におけるカーソルの位置に応じた画像処理と操作音を説明する図である。
【図８】プログラムの提供の様子を説明する図である。
【発明を実施するための形態】
【０００８】
−第１の実施形態−
図面を参照して本発明の第１の実施形態について説明する。図１は、本実施形態に係る
デジタルカメラ１の構成を示すブロック図である。デジタルカメラ１は、撮像光学系１１
と、撮像素子１２と、レンズ駆動回路１３と、制御部１４と、操作部材１６と、表示部１
７、スピーカ１８と、振動発生部１９とを備えている。デジタルカメラ１には、例えばメ
モリカードなどの記録媒体２０が着脱可能である。
【０００９】
撮像光学系１１は、ズームレンズやフォーカシングレンズを含む複数のレンズ群で構成
され、被写体像を撮像素子１２の受光面に結像させる。なお、図１を簡単にするため、撮
像光学系１１を単レンズとして図示している。
【００１０】
レンズ駆動回路１３は、制御部１４の制御のもと、撮像光学系１１のズームレンズを駆
動して焦点距離を調節するとともに、撮像光学系１１のフォーカシングレンズを駆動して
焦点調節を行う。
【００１１】
撮像素子１２は、例えばＣＭＯＳ撮像素子などのイメージセンサであり、撮像光学系１
１により結像した被写体像を撮像して、得られた画像信号を制御部１４へ出力する。
【００１２】
制御部１４は、表示制御部１４ａと、位置選択部１４ｂと、画像処理部１４ｃと、発生
制御部１４ｄとを有する。制御部１４は、ＣＰＵ、メモリ、およびその周辺回路から構成
され、メモリに格納された制御プログラムを実行することにより、これらの各部の機能を
実現している。各部の機能の内容については、後で詳しく説明する。
【００１３】
操作部材１６は、シャッターボタン１６ａと、ロータリーマルチセレクター１６ｂと、
を含む。また、操作部材１６は、この他、録画ボタン、モード切替ボタン、十字キー、Ｏ
Ｋボタン、ディスプレイボタンなどを含む。操作部材１６は、ユーザー操作に応じた操作
信号を制御部１４へ出力する。
【００１４】
表示部１７は、デジタルカメラ１の背面に搭載された液晶モニタ（背面モニタ）等で構
成され、撮像素子１２で撮像された撮像画像や各種設定メニューなどが表示される。
【００１５】
スピーカ１８は、操作部材１６の操作に応じた操作音や、動画の再生時に動画に含まれ
る音声などを発生する。振動発生部１９は、振動を発生して、デジタルカメラ１全体を振
動させる。
【００１６】
操作部材１６からの操作信号に応じて撮影モードに設定されると、制御部１４は、撮像
素子１２に所定のフレームレートでスルー画用の撮像処理を行わせ、撮像素子１２から時
系列で得られる各フレーム画像から表示用のフレーム画像を生成して表示部１７に出力す
る。これによって表示部１７には、スルー画がリアルタイムで表示される。
【００１７】
静止画撮影モードにおいてシャッターボタン１６ａが全押し操作されて静止画の撮影が
指示されると、制御部１４は、撮像素子１２に静止画用の撮像処理を行わせ、撮像素子１
２から取得した画像信号に対して所定の画像処理を行って静止画データを生成し、ＪＰＥ
Ｇなどの所定の方式により圧縮処理を行って、記録媒体２０に記録する。
【００１８】
動画撮影モードにおいて録画ボタンが操作されて動画の撮影開始が指示されると、制御
部１４は、撮像素子１２に動画用の撮像処理を開始させ、撮像素子１２から出力された各
フレームの画像信号に対して所定の画像処理を行う。そして、制御部１４は、画像処理後
の画像データをＭＰＥＧ形式やＭｏｔｉｏｎＪＰＥＧなどの圧縮画像データに圧縮し、そ
の圧縮画像データを記録媒体２０に記録する。そして、再度録画ボタンが操作されて動画
の撮影終了が指示されると、制御部１４は、動画の撮影終了時点までの圧縮画像データを
記録媒体２０に記録し、動画ファイルを完成させる。
【００１９】
また、操作部材１６からの操作信号に応じて再生モードに設定されると、制御部１４は
、記録媒体２０に記録された静止画データまたは動画データを読み出して再生し、表示部
１７に表示する。
【００２０】
本実施形態のデジタルカメラ１では、撮影モードとして、通常モードの他に、クリエイ
ティブモードが設けられている。以下、このクリエイティブモードについて説明する。
【００２１】
クリエイティブモードにおいて、制御部１４の表示制御部１４ａは、スルー画を表示部
１７に表示する。また、表示制御部１４ａは、図２に示すように、撮像画像に対して行う
画像処理を変更するための画像（以下、リング画像と表記する）５０をスルー画に重ねて
表示する。リング画像５０は、リング５１とカーソル５２とから構成される。カーソル５
２は、リング５１上において、制御部１４の位置選択部１４ｂにより現在選択されている
位置を示す。位置選択部１４ｂは、ユーザーによりロータリーマルチセレクター１６ｂが
回転操作されると、その回転操作に応じて、カーソル５２の表示位置（すなわち選択位置
）をリング５１に沿って移動させる。たとえば、ロータリーマルチセレクター１６ｂが時
計周りに回転操作されると、位置選択部１４ｂは、カーソル５２をリング５１上で時計周
りに所定の速度で移動させる。一方、ロータリーマルチセレクター１６ｂが反時計周りに
回転操作されると、位置選択部１４ｂは、カーソル５２をリング５１上で反時計周りに所
定の速度で移動させる。
【００２２】
制御部１４の画像処理部１４ｃは、位置選択部１４ｂによる選択位置（すなわちカーソ
ル５２の表示位置）に応じて、リング画像５０に設定された４つの画像処理（以下、第１
画像処理〜第４画像処理と表記する）の中から１つまたは２つの画像処理を選択する。画
像処理部１４ｃは、撮像画像に対して上記選択した画像処理を行う。表示制御部１４ａは
、画像処理部１４ｃにより画像処理が施された撮像画像を、スルー画として表示部１７に
表示する。
【００２３】
このようにデジタルカメラ１では、ユーザーがロータリーマルチセレクター１６ｂを回
転操作してカーソル５２の位置を移動させることで撮像画像に施す画像処理を選択するこ
とができ、選択した画像処理が施された撮像画像を、スルー画によってリアルタイムで確
認することができる。そして、デジタルカメラ１では、ユーザーが、ロータリーマルチセ
レクター１６ｂを回転操作して撮像画像に施す画像処理を所望の画像処理に変更した後、
シャッターボタン１６ａを押下することで、所望の画像処理を施した静止画を記録するこ
とができるようになっている。
【００２４】
リング画像５０には、リング５１の頂上地点Ｐ０から時計周りに第０位置〜第６５位置
の６６か所の位置が設定されており、その位置を示す目盛がリング５１の内側に表示され
ている。リング５１の頂上地点Ｐ０が第０位置であり、その右隣の位置Ｐ１が第１位置で
ある。第０位置Ｐ０から時計周りに９０度離れた位置Ｐ１７が第１７位置である。第１位
置Ｐ１から第１７位置Ｐ１７の間には、第２位置〜第１６位置の１５か所の位置が等間隔
に設定される。第０位置Ｐ０から１８０度離れた位置Ｐ３３が第３３位置である。第１７
位置Ｐ１７から第３３位置Ｐ３３の間には、第１８位置〜第３２位置の１５か所の位置が
等間隔に設定される。第０位置Ｐ０から時計周りに２７０度離れた位置Ｐ４９が第４９位
置である。第３３位置Ｐ３３から第４９位置Ｐ４９の間には、第３４位置〜第４８位置の
１５か所の位置が等間隔に設定される。第０位置Ｐ０の左隣の位置Ｐ６５は第６５位置で
ある。第４９位置Ｐ４９から第６５位置Ｐ６５の間には、第５０位置〜第６４位置の１５
か所の位置が等間隔に設定される。図３は、リング画像５０の各位置において選択される
画像処理を説明する図である。図３では、０〜６５の番号が第０位置〜第６５位置を示し
、番号の下にその番号が示す位置において選択される画像処理を記載している。
【００２５】
クリエイティブモードを開始した時点では、リング５１の頂上地点（第０位置）Ｐ０に
カーソル５２が表示される。すなわち、位置選択部１４ｂが第０位置を選択した状態とな
る。このとき、画像処理部１４ｃは、撮像画像に対して第１画像処理〜第４画像処理を行
わない。したがって、表示制御部１４ａは、第１画像処理〜第４画像処理のいずれも施し
ていない状態の撮像画像、すなわち元画像を表示部１７に表示する。
【００２６】
カーソル５２が第０位置Ｐ０の右隣の第１位置Ｐ１にある場合、すなわち位置選択部１
４ｂが第１位置Ｐ１を選択している場合には、画像処理部１４ｃは第１画像処理のみを（
すなわち第１画像処理を１００％の比率で）撮像画像に施す。したがって、カーソル５２
が第０位置Ｐ０から第１位置Ｐ１に時計周りに移動すると、表示部１７に表示されるスル
ー画は、元画像の状態から第１画像処理のみを施した状態へと変化する。
【００２７】
カーソル５２が第０位置Ｐ０から時計周りに９０度離れた第１７位置Ｐ１７にある場合
、すなわち位置選択部１４ｂが第１７位置Ｐ１７を選択している場合には、画像処理部１
４ｃは第２画像処理のみを（すなわち第２画像処理を１００％の比率で）撮像画像に施す
。したがって、カーソル５２が第１位置Ｐ１から第１７位置Ｐ１７へと時計周りに移動す
ると、表示部１７に表示されるスルー画は、第１画像処理のみを施した状態から第２画像
処理のみを施した状態へと変化する。このとき、表示部１７に表示されるスルー画は、第
１画像処理のみを施した状態から第２画像処理のみを施した状態へ１５段階で徐々に遷移
するようになっている。すなわち、カーソル５２が第２位置から第１６位置のいずれかに
ある間（位置選択部１４ｂが第１位置Ｐ１と第１７位置Ｐ１７との間の位置を選択してい
る場合には）、画像処理部１４ｃは第１画像処理および第２画像処理の両方を撮像画像に
対して行う（すなわち第１画像処理および第２画像処理を撮像画像に重ねがけする）。
【００２８】
このとき画像処理部１４ｃは、カーソル５２の位置（すなわち位置選択部１４ｂによる
選択位置）に応じて、第１画像処理と第２画像処理の比率を変化させる。具体的には、画
像処理部１４ｃは、カーソル５２の位置が第１７位置Ｐ１７へ向かう方向に移動する場合
には、第１画像処理の比率を下げると共に第２画像処理の比率を上げるように変化させる
。一方、画像処理部１４ｃは、カーソル５２の位置が第１位置Ｐ１へ向かう方向に移動す
る場合には、第１画像処理の比率を上げると共に第２画像処理の比率を下げるように変化
させる。たとえば、画像処理部１４ｃは、カーソル５２が第５位置にあるときは、第１画
像処理を７５％、第２画像処理を２５％の比率で、撮像画像に施す。また、画像処理部１
４ｃは、カーソル５２が第９位置にあるときは、第１画像処理を５０％、第２画像処理を
５０％の比率で、撮像画像に施す。また、画像処理部１４ｃは、カーソル５２が第１３位
置にあるときは、第１画像処理を２５％、第２画像処理を７５％の比率で、撮像画像に施
す。なお、第１画像処理を７５％の比率で行うとは、たとえば、撮像画像に第１画像処理
のみを施したとき（すなわち第１画像処理を１００％施したとき）における撮像画像の変
化の度合いを１００％としたときに、その度合いの７５％程度撮像画像が変化するように
第１画像処理を施すことである。
【００２９】
カーソル５２が第０位置Ｐ０から１８０度離れた第３３位置Ｐ３３にある場合、すなわ
ち位置選択部１４ｂが第３３位置Ｐ３３を選択している場合には、画像処理部１４ｃは第
３画像処理のみを撮像画像に施す。したがって、カーソル５２が第１７位置Ｐ１７から第
３３位置Ｐ３３へと時計周りに移動すると、表示部１７に表示されるスルー画は、第２画
像処理のみを施した状態から第３画像処理のみを施した状態へと変化する。
【００３０】
このとき、表示部１７に表示されるスルー画は、第２画像処理のみを施した状態から第
３画像処理のみを施した状態へ１５段階で徐々に遷移するようになっている。すなわち、
カーソル５２が第１８位置から第３２位置にある間（すなわち位置選択部１４ｂが第１７
位置Ｐ１７と第３３位置Ｐ３３との間の位置を選択している場合には）、画像処理部１４
ｃは第２画像処理および第３画像処理の両方を撮像画像に施す。このとき画像処理部１４
ｃは、カーソル５２の位置が第１７位置Ｐ１７から第３３位置Ｐ３３へ向かう方向に移動
する場合には、第２画像処理の比率を下げると共に第３画像処理の比率を上げるように変
化させる。一方、画像処理部１４ｃは、カーソル５２の位置が第３３位置Ｐ３３から第１
７位置Ｐ１７へ向かう方向に移動する場合には、第２画像処理の比率を上げると共に第３
画像処理の比率を下げるように変化させる。
【００３１】
カーソル５２が第０位置Ｐ０から時計周りに２７０度離れた第４９位置Ｐ４９にある場
合、すなわち、位置選択部１４ｂが第４９位置Ｐ４９を選択している場合には、画像処理
部１４ｃは第４画像処理のみを撮像画像に施す。したがって、カーソル５２が第３３位置
Ｐ３３から第４９位置Ｐ４９へと時計周りに移動されると、表示部１７に表示されるスル
ー画は、第３画像処理のみを施した状態から第４画像処理のみを施した状態へと変化する
。
【００３２】
このとき、表示部１７に表示されるスルー画は、第３画像処理のみを施した状態から第
４画像処理のみを施した状態へ１５段階で徐々に遷移するようになっている。すなわち、
カーソル５２が第３４位置から第４８位置にある間（位置選択部１４ｂが第３３位置Ｐ３
３と第４９位置Ｐ４９との間の位置を選択している場合には）、画像処理部１４ｃは第３
画像処理および第４画像処理の両方を撮像画像に施す。このとき画像処理部１４ｃは、カ
ーソル５２の位置が第３３位置Ｐ３３から第４９位置Ｐ４９へ向かう方向に移動する場合
には、第３画像処理の比率を下げると共に第４画像処理の比率を上げるように変化させる
。一方、画像処理部１４ｃは、カーソル５２の位置が第４９位置Ｐ４９から第３３位置Ｐ
３３へ向かう方向に移動する場合には、第３画像処理の比率を上げると共に第４画像処理
の比率を下げるように変化させる。
【００３３】
カーソル５２が第０位置Ｐ０の左隣の第６５位置Ｐ６５にある場合、すなわち、位置選
択部１４ｂが第６５位置Ｐ６５を選択している場合には、画像処理部１４ｃは第１画像処
理のみを撮像画像に施す。したがって、カーソル５２が第４９位置Ｐ４９から第６５位置
Ｐ６５へと時計周りに移動すると、表示部１７に表示されるスルー画は、第４画像処理の
みを施した状態から第１画像処理のみを施した状態へと変化する。
【００３４】
このとき、表示部１７に表示されるスルー画は、第４画像処理のみを施した状態から第
１画像処理のみを施した状態へ１５段階で徐々に遷移するようになっている。すなわち、
カーソル５２が第５０位置から第６４位置にある間（位置選択部１４ｂが第４９位置Ｐ４
９と第６５位置Ｐ６５との間の位置を選択している場合には）、画像処理部１４ｃは第４
画像処理および第１画像処理の両方を撮像画像に施す。このとき画像処理部１４ｃは、カ
ーソル５２の位置が第４９位置Ｐ４９から第６５位置Ｐ６５へ向かう方向に移動する場合
には、第４画像処理の比率を下げると共に第１画像処理の比率を上げるように変化させる
。一方、画像処理部１４ｃは、カーソル５２の位置が第６５位置Ｐ６５から第４９位置Ｐ
４９へ向かう方向に移動する場合には、第４画像処理の比率を上げると共に第１画像処理
の比率を下げるように変化させる。
【００３５】
また、カーソル５２が第６５位置Ｐ６５から第０位置Ｐ０へと時計周りに移動すると、
表示部１７に表示するスルー画は、第１画像処理のみ施した状態から元画像の状態へと戻
る。
【００３６】
このように、カーソル５２が第０位置Ｐ０から時計周りに１回転すると、撮像画像に施
される画像処理が、元画像から、第１画像処理、第２画像処理、第３画像処理、第４画像
処理の順で連続的に変更された後、再度第１画像処理に戻って、元画像に戻る。また、カ
ーソル５２が反時計回りに１回転する場合は、撮像画像に施される画像処理は、上述した
時計周りに１回転する場合と逆の順で変化する。また、必ずしもカーソル５２が１回転し
なくてもよく、たとえば、カーソル５２が時計周りに半周回転した後に反時計回りに移動
して、画像処理の変化を戻すことも可能となっている。
【００３７】
また、デジタルカメラ１を屋外で使用する場合、屋外光によって表示部１７が見えにく
くなる場合がある。そこで、制御部１４の発生制御部１４ｄは、現在、撮像画像に対して
どのような画像処理を行っているかをユーザーに報知するための操作音を、スピーカ１８
により発生させるようになっている。
【００３８】
デジタルカメラ１では、第１画像処理〜第４画像処理のそれぞれに対して、互いに異な
る音色の操作音（第１操作音〜第４操作音）が対応付けられている。第１操作音〜第４操
作音を発生するための音声データは、デジタルカメラ１の不図示のメモリに記憶されてい
る。発生制御部１４ｄは、この音声データをメモリから読み出して再生し、スピーカ１８
から発生させる。
【００３９】
図３では、カーソル５２が各位置に来たときに発生される操作音についても記載してい
る。カーソル５２が第０位置Ｐ０に来たときは、撮像画像に対して第１画像処理〜第４画
像処理が行われないので、発生制御部１４ｄは、スピーカ１８から操作音を発生させない
。
【００４０】
カーソル５２が第１位置Ｐ１に来たときは、撮像画像に対して第１画像処理のみが（す
なわち第１画像処理が１００％の比率で）行われるので、発生制御部１４ｄは、スピーカ
１８から第１操作音を最大（ＭＡＸの）音量で発生させる。したがって、カーソル５２が
第１位置Ｐ１に移動すると、第１操作音のみが聞こえるので、ユーザーは、撮像画像に施
される画像処理が第１画像処理のみであることを認識することができる。
【００４１】
カーソル５２が第２位置から第１６位置までの間にある場合は、撮像画像に対して第１
画像処理と第２画像処理の両方が行われるので、発生制御部１４ｄは、スピーカ１８から
第１操作音と第２操作音の両方を同時にまたは連続して発生させる。したがって、カーソ
ル５２が第２位置〜第１６位置にある間は、第１操作音と第２操作音の両方が聞こえるの
で、ユーザーは、撮像画像に施される画像処理が第１画像処理と第２画像処理の両方であ
ることを認識することができる。
【００４２】
また、このとき発生制御部１４ｄは、第１画像処理と第２画像処理の比率に応じて、第
１操作音と第２操作音の音量を変化させる。具体的に、発生制御部１４ｄは、カーソル５
２が第１位置Ｐ１に近いほど第１画像処理の比率が高くなるので第１操作音の音量を大き
くする一方、第２画像処理の比率は低くなるので、第２操作音の音量については小さくす
る。また、発生制御部１４ｄは、カーソル５２が第１７位置Ｐ１７に近いほど第１画像処
理の比率が低くなるので第１操作音の音量を小さくする一方、第２画像処理の比率は高く
なるので、第２操作音の音量については大きくする。したがって、発生制御部１４ｄは、
カーソル５２が第１７位置Ｐ１７へ向かう方向に移動する場合には、スピーカ１８から発
生される第１操作音の音量を下げていくと共に第２操作音の音量を上げていく。一方、発
生制御部１４ｄは、カーソル５２が第１位置Ｐ１へ向かう方向に移動する場合には、スピ
ーカ１８から発生される第１操作音の音量を上げていくと共に第２操作音の音量を下げて
いく。なお、発生制御部１４ｄは、カーソル５２が第１位置Ｐ１から第１６位置まで移動
するとき、第１操作音の音量を最大音量から１５段階で小さくする。一方、発生制御部１
４ｄは、カーソル５２が第１７位置Ｐ１７から第２位置まで移動するとき、第２操作音の
音量を最大音量から１５段階で小さくする。
【００４３】
以上のようにすることで、カーソル５２が第２位置〜第１６位置Ｐ１６の間で移動する
とき、ユーザーは、第１操作音と第２操作音の音量の変化で、撮像画像に施される第１画
像処理と第２画像処理の比率がどのように変化しているかを認識することができる。
【００４４】
発生制御部１４ｄは、カーソル５２が第１７位置Ｐ１７〜第６５位置Ｐ６５にある場合
も、上述した場合と同様にしてスピーカ１８から操作音を発生させる。
【００４５】
具体的に、カーソル５２が第１７位置Ｐ１７に来たときは、撮像画像に対して第２画像
処理のみが行われるので、発生制御部１４ｄは、スピーカ１８から第２操作音を最大音量
で発生させる。
【００４６】
カーソル５２が第１８位置から第３２位置までの間にある場合は、撮像画像に対して第
２画像処理と第３画像処理の両方が行われるので、発生制御部１４ｄは、スピーカ１８か
ら第２操作音と第３操作音の両方を発生させる。このとき発生制御部１４ｄは、カーソル
５２が第１７位置Ｐ１７に近いほど第２画像処理の比率が高くなるので第２操作音の音量
を大きくする一方、第３画像処理の比率は低くなるので、第３操作音の音量については小
さくする。また、発生制御部１４ｄは、カーソル５２が第３３位置Ｐ３３に近いほど第２
画像処理の比率が低くなるので第２操作音の音量を小さくする一方、第３画像処理の比率
は高くなるので、第３操作音の音量については大きくする。
【００４７】
カーソル５２が第３３位置Ｐ３３に来たときは、撮像画像に対して第３画像処理のみが
行われるので、発生制御部１４ｄは、スピーカ１８から第３操作音を最大音量で発生させ
る。
【００４８】
カーソル５２が第３４位置から第４８位置までの間にある場合は、撮像画像に対して第
３画像処理と第４画像処理の両方が行われるので、発生制御部１４ｄは、スピーカ１８か
ら第３操作音と第４操作音の両方を発生させる。このとき発生制御部１４ｄは、カーソル
５２が第３３位置Ｐ３３に近いほど第３画像処理の比率が高くなるので第３操作音の音量
を大きくする一方、第４画像処理の比率は低くなるので、第４操作音の音量については小
さくする。また、発生制御部１４ｄは、カーソル５２が第４９位置Ｐ４９に近いほど第３
画像処理の比率が低くなるので第３操作音の音量を小さくする一方、第４画像処理の比率
は高くなるので、第４操作音の音量については大きくする。
【００４９】
カーソル５２が第４９位置Ｐ４９に来たときは、撮像画像に対して第４画像処理のみが
行われるので、発生制御部１４ｄは、スピーカ１８から第４操作音を最大音量で発生させ
る。
【００５０】
カーソル５２が第５０位置から第６４位置までの間にある場合は、撮像画像に対して第
４画像処理と第１画像処理の両方が行われるので、発生制御部１４ｄは、スピーカ１８か
ら第４操作音と第１操作音の両方を発生させる。このとき発生制御部１４ｄは、カーソル
５２が第４９位置Ｐ４９に近いほど第４画像処理の比率が高くなるので第４操作音の音量
を大きくする一方、第１画像処理の比率は低くなるので、第１操作音の音量については小
さくする。また、発生制御部１４ｄは、カーソル５２が第６５位置Ｐ６５に近いほど第４
画像処理の比率が低くなるので第４操作音の音量を小さくする一方、第１画像処理の比率
は高くなるので、第１操作音の音量については大きくする。
【００５１】
カーソル５２が第６５位置Ｐ６５に来たときは、撮像画像に対して第１画像処理のみが
行われるので、発生制御部１４ｄは、スピーカ１８から第１操作音を最大音量で発生させ
る。
【００５２】
以上のように、発生制御部１４ｄは、撮像画像に対して行う画像処理に応じた操作音を
、その比率に応じた音量でスピーカ１８から発生させる。これにより、ユーザーは、表示
部１７が見づらい場合であっても、撮像画像に対してどの画像処理がどのくらいの比率で
行われるのかを認識することができる。
【００５３】
次に、リング画像５０に設定される第１画像処理〜第４画像処理の内容について、詳し
く説明する。なお、本説明において、画像処理には、たとえば彩度やコントラスト、ホワ
イトバランスなどのパラメータを変えることで画作りを行う処理や、たとえばフィルタを
かけてぼかしたり周辺を暗くしてトイカメラ風にしたりするなど画像効果をかける処理が
含まれるとする。クリエイティブモードでは、撮影シーンを判別するシーン判別処理を行
い、判別した撮影シーンに応じた４つの画像処理を、第１画像処理〜第４画像処理として
リング画像５０に設定するようになっている。すなわち、判別される撮影シーンによって
、リング画像５０に設定される第１画像処理〜第４画像処理の内容が異なっている。
【００５４】
判別される撮影シーンとしては、人物を撮影するシーンである「ポートレート」、被写
体に接近して撮影するシーンである「接写」、風景を撮影するシーンである「風景」、「
ポートレート」、「接写」、「風景」のいずれでもないシーンである「その他」の４種類
である。なお、判別される撮影シーンの種類は一例であり、この他種々の撮影シーンを判
別してもよい。撮影シーンの判別方法は、公知の方法を用いるものとする。制御部１４は
、たとえば、撮像素子１２からの画像信号に基づく情報（輝度や色バランス（Ｒ／Ｇ比、
Ｂ／Ｇ比）など）や、カメラ設定情報（撮像光学系１１の焦点距離や撮影倍率など）に基
づいて撮影シーンを判別する。
【００５５】
図４は、撮影シーンに応じた第１画像処理〜第４画像処理の組合せを説明する図である
。デジタルカメラ１では、撮影シーンごとに、それぞれの撮影シーンに適した４種類の画
像処理が第１画像処理〜第４画像処理として予め設定されている。たとえば、撮影シーン
「人物」用のリング画像５０ｐには、第１画像処理として「ポートレート」、第２画像処
理として「モノクローム」、第３画像処理として「ハイキー」、第４画像処理として「ク
ロスプロセス（Ｒ）」が設定される。撮影シーン「接写」用のリング画像５０ｎには、第
１画像処理として「ビビッド」、第２画像処理として「ハイキー」、第３画像処理として
「トイカメラ」、第４画像処理として「セレクトカラー」が設定される。撮影シーン「風
景」用のリング画像５０ｇには、第１画像処理として「クロスプロセス（Ｂ）」、第２画
像処理として「風景」、第３画像処理として「フィルターモノクロ（セピア）」、第４画
像処理として「アヴァンギャルド」が設定される。撮影シーン「その他」用のリング画像
５０ｓには、第１画像処理として「アヴァンギャルド」、第２画像処理として「モノクロ
ーム」、第３画像処理として「トイカメラ」、第４画像処理として「クロスプロセス（Ｇ
）」が設定される。なお、図４では説明のため、撮影シーンおよび第１画像処理〜第４画
像処理の内容を示すテキストを記載しているが、実際の表示部１７の表示画面では、当該
テキストは表示されず、リング５１とカーソル５２のみが表示される。すなわち、リング
画像５０ｐ、５０ｎ、５０ｇ、５０ｓは、表示部１７の表示画面ではどの撮影シーンでも
同じ画像として（すなわち同じ表示内容で）表示される。
【００５６】
「ポートレート」は、人物の肌をきれいに見せる画作りを行うための画像処理である。
「モノクローム」は、白黒の濃淡のみの画作りを行うための画像処理である。「ハイキー
」は、画面全体が明るく陰影の少ない画作りを行うための画像処理である。「クロスプロ
セス（Ｒ）」、「クロスプロセス（Ｇ）」、および「クロスプロセス（Ｂ）」は、クロス
プロセス（ポジフィルムを使いネガ用の現像を行う銀塩写真の手法）を行ったような画像
効果を得るための画像処理である。なお、「クロスプロセス（Ｒ）」では赤みの強い画像
が得られ、「クロスプロセス（Ｇ）」では緑みの強い画像が得られ、「クロスプロセス（
Ｂ）」では青みの強い画像が得られる。「ビビッド」は、コントラストが強調された色鮮
やかな画作りを行うための画像処理である。「トイカメラ」は、トイカメラで撮影したよ
うな画像効果を得るための画像処理である。「セレクトカラー」は、特定の色だけを残し
てその他をモノクロに変化した画像効果を得るための画像処理である。「風景」は、自然
や街並みなどの景観に適した画作りを行うための画像処理である。「フィルターモノクロ
（セピア）」は、セピア色の濃淡のみの画作りを行うための画像処理である。「アヴァン
ギャルド」は、「ビビッド」よりもさらにコントラストと彩度を上げて独特の画作りを行
うための画像処理である。
【００５７】
なお、リング画像５０に第１画像処理〜第４画像処理として設定する画像処理の組合せ
の情報は、撮影シーンごとにデジタルカメラ１内の不図示のメモリに予め記憶されており
、この情報とシーン判別結果に基づいて、第１画像処理〜第４画像処理がリング画像５０
に設定される。
【００５８】
次に、クリエイティブモードにおいて、制御部１４が実行する処理の流れを、図５に示
すフローチャートを用いて説明する。撮影モードがクリエイティブモードに切り替えられ
ると、制御部１４は、スルー画の表示を開始すると共に、不図示のメモリに記録された図
５の処理を行うプログラムを起動して、当該処理を開始する。
【００５９】
ステップＳ１において、表示制御部１４ａは、リング画像５０の表示を開始して、ステ
ップＳ２へ進む。
【００６０】
ステップＳ２において、制御部１４は、撮影シーンを判別するシーン判別処理を開始し
て、ステップＳ３へ進む。なお、シーン判別処理は、所定時間おきに繰り返し行う。また
、制御部１４は、シーン判別処理を適切に行うために、繰り返しＡＦ（Auto Focus）処理
を行って、任意の被写体にピントを合わせる。
【００６１】
ステップＳ３において、制御部１４は、ロータリーマルチセレクター１６ｂが回転操作
されたか否かを判定する。ロータリーマルチセレクター１６ｂが回転操作されていない場
合は、制御部１４は、ステップＳ３を否定判定し、ステップＳ３の処理を繰り返すと共に
シーン判別処理を継続する。一方、ロータリーマルチセレクター１６ｂが回転操作された
場合には、制御部１４は、ステップＳ３を肯定判定し、ステップＳ４へ進む。
【００６２】
ステップＳ４において、制御部１４は、シーン判別処理を停止して、上記ドラッグ操作
が行われた時点で判別された撮影シーンを、撮影シーンの判別結果として確定する。そし
て制御部１４は、図４を用いて上述したように、当該確定した撮影シーンに応じた第１画
像処理〜第４画像処理をリング画像５０に設定する。
【００６３】
また、制御部１４は、ステップＳ４で確定した撮影シーンに応じて撮像光学系１１の絞
り値を制御する。本実施形態では、撮影シーンごとに、最適な絞り値が予め対応付けられ
てデジタルカメラ１内の不図示のメモリに記憶されている。たとえば、撮影シーン「人物
」に対しては開放絞り値が対応付けられ、撮影シーン「風景」に対しては絞り値Ｆ８が対
応づけられている。制御部１４は、上記確定した撮影シーンに対応付けられた絞り値とな
るように、撮像光学系１１の絞り値を制御する。これ以降、制御部１４は、スルー画用お
よび静止画用の撮像処理において、絞り優先モードで露出制御（シャッタースピードやＩ
ＳＯ感度などの制御）を行う。
【００６４】
ステップＳ５において、制御部１４は、上述したように、カーソル５２の位置に応じた
画像処理を撮像画像に施す処理を行う。この処理の流れを、図６に示すフローチャートを
用いて説明する。ステップＳ５１において、位置選択部１４ｂは、ロータリーマルチセレ
クター１６ｂの回転操作に応じて、カーソル５２（すなわち選択位置）を移動させ、ステ
ップＳ５２へ進む。
【００６５】
ステップＳ５２において、発生制御部１４ｄは、上記図２および図３を用いて説明した
ように、カーソル５２の位置に応じて操作音をスピーカ１８から発生させて、ステップＳ
５３へ進む。
【００６６】
ステップＳ５３において、画像処理部１４ｃは、上記図２および図３を用いて説明した
ように、カーソル５２の位置に応じて画像処理を撮像画像に施して、ステップＳ５４へ進
む。
【００６７】
ステップＳ５４において、表示制御部１４ａは、画像処理部１４ｃによって画像処理が
施された撮像画像をスルー画として表示部１７に表示する。その後、制御部１４は、図６
の処理を終了して、図５のステップＳ６に進む。
【００６８】
ステップＳ６において、制御部１４は、シャッターボタンが半押し操作されたか否かを
判定する。シャッターボタンが半押し操作されていない場合は、制御部１４は、ステップ
Ｓ６を否定判定してステップＳ５に戻る。すなわち、制御部１４は、シャッターボタンが
半押し操作されるまでは、リング画像５０のカーソル５２の位置に応じた画像処理（図６
）を繰り返し行う。一方、シャッターボタンが半押し操作された場合には、制御部１４は
、ステップＳ６を肯定判定し、ステップＳ７へ進む。
【００６９】
ステップＳ７において、画像処理部１４ｃは、シャッターボタンが半押し操作された時
点でリング画像５０のカーソル５２の位置に応じて設定される画像処理（すなわちその時
点で撮像画像に施されている画像処理）を、静止画に施す画像処理として確定する。そし
て、表示制御部１４ａは、リング画像５０を非表示にして、ステップＳ８へ進む。
【００７０】
ステップＳ８において、制御部１４は、ピント位置を固定するシングルＡＦモードと動
く被写体にピントを追従させるコンティニュアスＡＦモードとを自動で切り替える自動モ
ード切替ＡＦモードでＡＦ処理を行い、ステップＳ９へ進む。自動モード切替ＡＦモード
では、シャッターボタンの半押し操作時点で被写体にピントを合わせ、ピント位置をいっ
たん固定する。その後、被写体が動き出して、デジタルカメラ１と被写体の距離が変わっ
た場合には、自動的にコンティニュアスＡＦモードに切り替わり、被写体にピントを合わ
せ続ける。
【００７１】
ステップＳ９において、シャッターボタンが全押し操作されたか否かを判定する。シャ
ッターボタンが全押し操作されていない場合は、制御部１４は、ステップＳ９を否定判定
しステップＳ９の処理を繰り返す。一方、シャッターボタンが全押し操作された場合には
、制御部１４は、ステップＳ９を肯定判定し、ステップＳ１０へ進む。
【００７２】
ステップＳ１０において、制御部１４は、撮像素子１２に静止画用の撮像処理を行わせ
る。画像処理部１４ｃは、当該撮像処理により得られた撮像画像データに対して、ステッ
プＳ７で確定した画像処理を施す。そして、制御部１４は、当該画像処理が施された撮像
画像データを、静止画データとして記録媒体２０に記録して、ステップＳ１１へ進む。
【００７３】
ステップＳ１１において、制御部１４は、スルー画の表示とリング画像５０の表示とを
再度開始してステップＳ５に戻る。すなわち、いったん静止画撮影が終了した後において
も、リング画像５０に設定される第１画像処理〜第４画像処理については、ステップＳ４
での設定が保持される。これは、静止画撮影のたびに、リング画像５０に設定される第１
画像処理〜第４画像処理が変化すると、ユーザーにとってわかりにくくなることを考慮し
たためである。
【００７４】
リング画像５０の表示中において、ユーザーが現在リング画像５０に設定されている第
１画像処理〜第４画像処理を変更したい場合には、操作部材１６のＯＫボタンを押下する
ことで、第１画像処理〜第４画像処理のリセット操作を行えるようになっている。リング
画像５０の表示中にＯＫボタンが押下されると、制御部１４は、リング画像５０における
第１画像処理〜第４画像処理の設定を解除（リセット）する。また、位置選択部１４ｂは
、カーソル５２の位置を初期位置（第０位置）Ｐ０に戻す。その後、制御部１４は図５に
示す処理をステップＳ２から再度開始する。
【００７５】
なお、クリエイティブモードにおいて、リング画像５０のカーソル５２に対するドラッ
グ操作が一度も行われないままシャッターボタンが半押し操作された場合には、制御部１
４は、リング画像５０を非表示にして、通常モードと同様の処理を行う。すなわち、制御
部１４は、上記自動モード切替ＡＦモードで、ＡＦ処理を行う。その後、シャッターボタ
ンが全押し操作されると、制御部１４は、撮像素子１２に静止画用の撮像処理を行わせ、
得られた撮像画像データを静止画像データとして記録媒体２０に記録する。その後、制御
部１４は、再度、図５のステップＳ１に戻って処理を開始する。
【００７６】
以上説明した実施の形態によれば、次の作用効果が得られる。
（１）デジタルカメラ１は、リング画像５０のカーソル５２の位置、すなわち位置選択部
１４ｂによる選択位置が第１位置Ｐ１である場合には、撮像画像に対して第１画像処理の
みを行い、第１操作音のみを発生させる。また、デジタルカメラ１は、カーソル５２の位
置が第１７位置Ｐ１７である場合には、撮像画像に対して第２画像処理のみを行い、第２
操作音のみを発生させる。また、デジタルカメラ１は、カーソル５２の位置が第１位置Ｐ
１と第１７位置Ｐ１７の間の中間位置（第２位置〜第１６位置）である場合には、撮像画
像に対して第１画像処理と第２画像処理の両方を行い、第１操作音と第２操作音の両方を
発生させる。このようにすることで、表示部１７に表示されたカーソル５２が見づらい場
合であっても、撮像画像に施される画像処理の内容、すなわち第１画像処理〜第４画像処
理のうちどの画像処理が行われるかを分かりやすくすることができる。
【００７７】
（２）デジタルカメラ１は、カーソル５２の位置が中間位置（第２位置〜第１６位置）で
ある場合には、カーソル５２の位置が第１位置Ｐ１に近いほど第１画像処理の比率を高く
して第１操作音の大きさ（音量）を大きくすると共に、第２画像処理の比率を低くして第
２操作音の大きさを小さくする。一方、デジタルカメラ１は、カーソル５２の位置が第１
７位置Ｐ１７に近いほど第２画像処理の比率を高くして第２操作音の大きさを大きくする
と共に、第１画像処理の比率を低くして第１操作音の大きさを小さくする。このようにす
ることで、ユーザーは、第１操作音および第２操作音の大きさの変化によって、第１画像
処理と第２画像処理の比率の変化を認識することができる。
【００７８】
（第１の実施形態の変形例１）
上述した実施形態において、第１操作音〜第４操作音は互いに音色が異なる例について
説明したが、互いに音高が異なるようにしてもよいし、音色および音高の両方が異なるよ
うにしてもよい。また、スピーカ１８がステレオスピーカの場合、第１操作音および第３
操作音を一方のスピーカから発生させ、第２操作音および第４操作音を他方のスピーカか
ら発生させるようにしてもよい。それにより、たとえばカーソル５２が第２位置から第１
６位置までの間にある場合は、撮像画像に対して第１画像処理と第２画像処理の両方が行
われるので、発生制御部１４ｄは、一方のスピーカから第１操作音を発生させ、他方のス
ピーカから第２操作音を発生させるようにしてもよい。
【００７９】
（第１の実施形態の変形例２）
上述した実施形態では、スピーカ１８から発生する操作音によって、撮像画像に対して
どのような画像処理を行っているかをユーザーに報知する例について説明した。しかしな
がら、振動発生部１９から発生する振動によって、撮像画像に対してどのような画像処理
を行っているかをユーザーに報知するようにしてもよい。
【００８０】
変形例２では、たとえば、第１画像処理〜第４画像処理のそれぞれに対して、互いに異
なる振動周波数または振動パターンを有する振動（第１振動〜第４振動）が対応付けられ
ている。カーソル５２が第０位置Ｐ０に来たときは、撮像画像に対して第１画像処理〜第
４画像処理が行われないので、発生制御部１４ｄは、振動発生部１９から振動を発生させ
ない。
【００８１】
カーソル５２が第１位置Ｐ１に来たときは、撮像画像に対して第１画像処理のみが行わ
れるので、発生制御部１４ｄは、振動発生部１９から第１振動を最大振幅で発生させる。
【００８２】
カーソル５２が第２位置から第１６位置までの間にある場合は、撮像画像に対して第１
画像処理と第２画像処理の両方が行われるので、発生制御部１４ｄは、振動発生部１９か
ら第１振動と第２振動の両方を同時にまたは連続して発生させる。このとき発生制御部１
４ｄは、カーソル５２が第１位置Ｐ１に近いほど第１画像処理の比率が高くなるので第１
振動の振幅を大きくする一方、第２画像処理の比率は低くなるので、第２振動の振幅につ
いては小さくする。また、発生制御部１４ｄは、カーソル５２が第１７位置Ｐ１７に近い
ほど第１画像処理の比率が低くなるので第１振動の振幅を小さくする一方、第２画像処理
の比率は高くなるので、第２振動の振幅については大きくする。
【００８３】
発生制御部１４ｄは、カーソル５２が第１７位置Ｐ１７〜第６５位置Ｐ６５にある場合
も、上述した場合と同様にして振動発生部１９から振動を発生させるので、説明を省略す
る。
【００８４】
このように、発生制御部１４ｄは、撮像画像に対して行う画像処理に応じた振動を、そ
の比率に応じた振幅で振動発生部１９から発生させる。これにより、ユーザーは、表示部
１７が見づらい場合であっても、撮像画像に対してどの画像処理がどのくらいの比率で行
われるのかを認識することができる。
【００８５】
（第１の実施形態の変形例３）
また、操作音と振動とを組み合わせて、撮像画像に対してどのような画像処理を行って
いるかをユーザーに報知するようにしてもよい。この場合、たとえば、第１画像処理には
第１操作音を対応付け、第２画像処理には第２振動を対応付け、第３画像処理には第３操
作音を対応付け、第４画像処理には第４振動を対応付ける。
【００８６】
カーソル５２が第０位置Ｐ０に来たときは、撮像画像に対して第１画像処理〜第４画像
処理が行われないので、発生制御部１４ｄは、スピーカ１８から操作音を発生させず、且
つ振動発生部１９から振動を発生させない。
【００８７】
カーソル５２が第１位置Ｐ１に来たときは、撮像画像に対して第１画像処理のみが行わ
れるので、発生制御部１４ｄは、スピーカ１８から第１操作音を最大音量で発生させる。
【００８８】
カーソル５２が第２位置から第１６位置までの間にある場合は、撮像画像に対して第１
画像処理と第２画像処理の両方が行われるので、発生制御部１４ｄは、スピーカ１８から
第１操作音を発生させると共に、振動発生部１９から第２振動を発生させる。なお、第１
操作音および第２振動は、同時にまたは連続して発生される。このとき発生制御部１４ｄ
は、カーソル５２が第１位置Ｐ１に近いほど第１画像処理の比率が高くなるので第１操作
音の音量を大きくする一方、第２画像処理の比率は低くなるので、第２振動の振幅につい
ては小さくする。また、発生制御部１４ｄは、カーソル５２が第１７位置Ｐ１７に近いほ
ど第１画像処理の比率が低くなるので第１操作音の音量を小さくする一方、第２画像処理
の比率は高くなるので、第２振動の振幅については大きくする。
【００８９】
発生制御部１４ｄは、カーソル５２が第１７位置Ｐ１７〜第６５位置Ｐ６５にある場合
も、上述した場合と同様にして操作音および振動を発生させるので、説明を省略する。
【００９０】
このように、発生制御部１４ｄは、撮像画像に対して行う画像処理に応じた操作音また
は振動を、その比率に応じた音量または振幅でスピーカ１８または振動発生部１９から発
生させる。これにより、ユーザーは、表示部１７が見づらい場合であっても、撮像画像に
対してどの画像処理がどのくらいの比率で行われるのかを認識することができる。また、
変形例３の場合、２つの画像処理が両方行われる場合には、操作音と振動とが合わせて発
生されるので、異なる操作音同士、または異なる振動同士が合わせて発生される場合より
も、区別がつきやすい。
【００９１】
−第２の実施形態−
図面を参照して本発明の第２の実施形態について説明する。第２の実施形態では、第１
の実施形態と操作音を発生するタイミングが異なっているので、この点について説明する
。なお、第２の実施形態において、第１の実施形態と同様の内容については、同一の符号
を付して説明を省略する。
【００９２】
図７は、第２の実施形態において、リング画像５０の各位置における画像処理および操
作音を説明する図である。撮像画像に施す画像処理については、第１の実施形態と同様で
あるため、説明を省略する。図７に示すように、発生制御部１４ｄは、カーソル５２が第
０位置Ｐ０に来たときにのみ、すなわち表示部１７に元画像が表示されるときにのみ、ス
ピーカ１８から所定の操作音を発生させる。カーソル５２が第１位置Ｐ１〜第６５位置Ｐ
６５の間にあるとき、すなわち撮像画像に第１画像処理〜第４画像処理の少なくとも１つ
が施されているときには、発生制御部１４ｄは、スピーカ１８から操作音を発生させない
。
【００９３】
以上説明した実施の形態によれば、次の作用効果が得られる。
デジタルカメラ１は、リング画像５０のカーソル５２の位置、すなわち位置選択部１４
ｂによる選択位置が第１位置Ｐ１〜第６５位置Ｐ６５である場合には操作音を発生させず
、第０位置Ｐ０に戻ったとき、すなわち元画像に戻ったときのみ操作音を発生させる。こ
のようにすることで、表示部１７に表示されたカーソル５２が見づらい場合であっても、
撮像画像が元画像に戻ったことを分かりやすくすることができる。
【００９４】
（第２の実施形態の変形例１）
なお、発生制御部１４ｄは、カーソル５２が第０位置Ｐ０に来たときにのみ、すなわち
表示部１７に元画像が表示されるときにのみ、振動発生部１９から所定の振動を発生させ
るようにしてもよい。こうすることでも、ユーザーに、表示部１７に表示されるスルー画
が元画像に戻ったことを報知することができる。
【００９５】
（第２の実施形態の変形例２）
上述した実施の形態では、カーソル５２が第０位置Ｐ０に来たときにのみ、発生制御部
１４ｄは、スピーカ１８から所定の操作音を発生させたり、振動発生部１９から所定の振
動を発生させたりするようにしたが、これに限定されない。カーソル５２が第１位置Ｐ１
、第１７位置Ｐ１７、第３３位置Ｐ３３、第４９位置Ｐ４９、第６５位置Ｐ６５に来たと
き、すなわち撮像画像に第１画像処理〜第４画像処理のいずれかの１つの画像処理が施さ
れているときに、発生制御部１４ｄは、スピーカ１８から所定の操作音を発生させたり、
振動発生部１９から所定の振動を発生させたりするようにしてもよい。
【００９６】
−その他の変形例−
（変形例１）
上述した実施の形態では、静止画を撮影するモードにおいて、リング画像５０によって
撮像画像に施す画像処理を変更できる例について説明したが、動画を撮影するモードにお
いてもリング画像５０によって撮像画像に施す画像処理を変更できるようにしてもよい。
【００９７】
（変形例２）
上述した実施の形態では、シャッターボタン１６ａの押下操作に応じてシャッターを切
る例について説明したが、タッチパネルに対するタッチ操作に応じてシャッターを切る、
いわゆるタッチシャッターであってもよい。
【００９８】
（変形例３）
上述した実施の形態では、リング画像５０のカーソル５２の移動に応じて、４種類の画
像処理（第１画像処理〜第４画像処理）の中から、撮像画像に施す画像処理を選択するよ
うにした。しかしながら、リング画像５０における画像処理の選択肢の数はこれに限らな
くてよく、２種類または３種類であってもよいし、５種類以上であってもよい。この場合
、画像処理の選択肢の数に応じて、操作音または振動の種類を増やせばよい。
【００９９】
（変形例４）
上述した実施の形態では、撮像画像に施す画像処理を選択するための画像として、リン
グ画像５０を用いる例について説明した。しかしながら、リング形状に限らなくてもよく
、たとえば、バー形状などであってもよい。また、カーソル５２を移動させる例について
説明したが、カーソル５２を固定としてリング５１を移動させるようにしてもよい。
【０１００】
（変形例５）
上述した実施の形態では、リング画像５０に対する操作を、ロータリーマルチセレクタ
ー１６ｂの回転操作によって行う例について説明したが、これに限らなくてよい。たとえ
ばタッチパネルに対するタッチ操作や、デジタルカメラ１の筐体を傾けるなどのアクショ
ン操作などによって行うようにしてもよい。
【０１０１】
（変形例６）
上述した実施の形態では、デジタルカメラ１の制御部１４が不図示のメモリに記録され
たプログラムを実行することで、上述した図５および図６の処理を行う例について説明し
た。このプログラムは、製品出荷時に予め記録されていてもよいし、製品出荷後、メモリ
カードなどの記録媒体やインターネットなどのデータ信号を通じて提供されてもよい。図
８はその様子を示す図である。デジタルカメラ１は、メモリカードなどの記録媒体２０を
介してプログラムの提供を受ける。また、デジタルカメラ１は通信回線１０１との接続機
能を有する。コンピュータ１０２は上記プログラムを提供するサーバコンピュータであり
、ハードディスク１０３などの記録媒体にプログラムを格納する。通信回線１０１は、イ
ンターネット、パソコン通信などの通信回線、あるいは専用通信回線などである。コンピ
ュータ１０２はハードディスク１０３を使用してプログラムを読み出し、通信回線１０１
を介してプログラムをデジタルカメラ１に送信する。すなわち、プログラムをデータ信号
として搬送波を介して、通信回線１０１を介して送信する。このように、プログラムは、
記録媒体やデータ信号（搬送波）などの種々の形態のコンピュータ読み込み可能なコンピ
ュータプログラム製品として供給できる。
【０１０２】
（変形例７）
上述した実施の形態では、デジタルカメラに本発明を適用する例について説明したが、
これに限らなくてよい。たとえば携帯電話機、スマートフォン、タブレット端末などに本
発明を適用するようにしてもよい。
【０１０３】
上記では、種々の実施の形態および変形例を説明したが、本発明はこれらの内容に限定
されるものではない。本発明の技術的思想の範囲内で考えられるその他の態様も本発明の
範囲内に含まれる。
【符号の説明】
【０１０４】
１…デジタルカメラ、１１…撮像光学系、１２…撮像素子、１４…制御部、１４ａ…表示
制御部、１４ｂ…位置選択部、１４ｃ…画像処理部、１４ｄ…発生制御部、１６…操作部
材、１７…表示部、１８…スピーカ、１９…振動発生部、２０…記録媒体
【図１】
2018085723.tif 000003
【図２】
2018085723.tif 000004
【図３】
2018085723.tif 000005
【図４】
2018085723.tif 000006
【図５】
2018085723.tif 000007
【図６】
2018085723.tif 000008
【図７】
2018085723.tif 000009
【図８】
2018085723.tif 000010
【手続補正書】
【提出日】平成29年12月6日(2017.12.6)
【手続補正１】
【補正対象書類名】特許請求の範囲
【補正対象項目名】全文
【補正方法】変更
【補正の内容】
【特許請求の範囲】
【請求項１】
画像を表示する表示部の表示面内の第１の位置が選択されると前記画像に対して画像処理を行い、前記第１の位置と異なる第２の位置が選択されると前記画像に対して画像処理を行わない画像処理部と、
音と振動の少なくとも一方を発生する発生部と、
前記第１の位置が選択されると前記発生部から前記音と前記振動の少なくとも一方を発生させず、前記第２の位置が選択されると前記発生部から前記音と前記振動の少なくとも一方を発生させる制御部と、
を備える電子機器。
【請求項２】
請求項１に記載の電子機器であって、
前記表示部の表示面内に前記第１の位置を示す画像を表示する表示制御部を備える電子機器。
【請求項３】
請求項２に記載の電子機器であって、
前記第１の位置は、前記表示部の表示面内の複数の位置に設定される電子機器。
【請求項４】
画像を表示する表示部の表示面内の第１の位置が選択されると前記画像に対して画像処理を行って音と振動の少なくとも一方を発生部から発生させず、前記第１の位置と異なる第２の位置が選択されると前記画像に対して画像処理を行わずに前記音と前記振動の少なくとも一方を前記発生部から発生させる、
音または振動の発生方法。
【請求項５】
請求項４に記載の音または振動の発生方法をコンピュータに実行させるプログラム。
【手続補正２】
【補正対象書類名】明細書
【補正対象項目名】０００５
【補正方法】変更
【補正の内容】
【０００５】
本発明の第１の態様によると、電子機器は、画像を表示する表示部の表示面内の第１の位置が選択されると前記画像に対して画像処理を行い、前記第１の位置と異なる第２の位置が選択されると前記画像に対して画像処理を行わない画像処理部と、音と振動の少なくとも一方を発生する発生部と、前記第１の位置が選択されると前記発生部から前記音と前記振動の少なくとも一方を発生させず、前記第２の位置が選択されると前記発生部から前記音と前記振動の少なくとも一方を発生させる制御部と、を備える。
本発明の第２の態様によると、音または振動の発生方法は、画像を表示する表示部の表示面内の第１の位置が選択されると前記画像に対して画像処理を行って音と振動の少なくとも一方を発生部から発生させず、前記第１の位置と異なる第２の位置が選択されると前記画像に対して画像処理を行わずに前記音と前記振動の少なくとも一方を前記発生部から発生させる。
本発明の第３の態様によると、プログラムは、第２の態様による音または振動の発生方法をコンピュータに実行させる。